(57)【要約】 【課題】  発射された遊技球の失速量を少なくして遊技球を低い発射エネルギーのまま遊技領域全体に打ち込むことができる弾球遊技機を提供する。【解決手段】  発射された遊技球を遊技盤２の遊技領域３に外側レール９によって案内する弾球遊技機において、クロソイド曲線で形成された外側レール９を、遊技領域３の一方の側端部から上端部にかけて配設する。また、外側レール９を、垂直直線部１１と水平直線部１２との間にクロソイド曲線部１３が形成されたものとして、これを遊技領域の一方の側端部から上端部にかけて配設してもよい。【選択図】    図１
2006174941.tif 000002
【特許請求の範囲】
【請求項１】
発射された遊技球を遊技盤の遊技領域に外側レールによって案内する弾球遊技機において、クロソイド曲線で形成された外側レールを、遊技領域の一方の側端部から上端部にかけて配設したことを特徴とする弾球遊技機。
【請求項２】
発射された遊技球を遊技盤の遊技領域に外側レールによって案内する弾球遊技機において、クロソイド曲線で形成された部分を有する外側レールを、遊技領域の一方の側端部から上端部にかけて配設したことを特徴とする弾球遊技機。
【発明の詳細な説明】
【技術分野】
【０００１】
本発明は、パチンコ機やアレンジボール機などの、球を発射して遊技を行う弾球遊技機に関するものである。
【背景技術】
【０００２】
弾球遊技機の一つであるパチンコ機においては、遊技の興趣を盛り上げるために遊技盤の中央に配置されるセンター役物の大型化が進む傾向にあり、結果として従来の面積の遊技盤では遊技領域が狭められることになる。したがって、センター役物の大型化に対応して遊技領域を広く取ることが可能な弾球遊技機が望まれている。このような実情に鑑み、特許文献１には、遊技盤と、遊技球を前記遊技盤側に発射させる発射手段と、該発射手段により発射された遊技球を前記遊技盤上の遊技領域の上部側に案内する案内レールとを備えた弾球遊技機において、前記案内レールを前記遊技盤の側部外側に配置した弾球遊技機が開示されている。この開示にかかる弾球遊技機は、案内レールが遊技盤の側部外側に沿って略鉛直方向に配置されているうえに、発射手段の発射部を案内レールの下側に配置して、遊技球を案内レールに沿って略鉛直上向きに発射するようにしたものである。
【０００３】
しかしながら、上記の弾球遊技機は鉛直上向きに発射した遊技球が、遊技球装着枠側の出口案内レールによって略水平方向に方向変換される、即ち、遊技球発射方向が直角に曲げられるが、前記出口案内レールは、鉛直方向の案内レールに対して斜めに折り曲がって形成されているので、その折り曲がり部にてブレーキがかかり球発射エネルギーを大幅にロスすることになる。したがって、せっかく遊技領域を広くしたにもかかわらず従来の弾球力しか有しない発射装置では、球が失速して遊技領域全面に球が行き渡らなくなる。このため、発射装置を強力化せねばならず、そのために従来とは異なる発射装置を備える必要が生じて遊技機の製造コストが高騰するという問題があった。
また、通常の円弧状の案内レールの場合にも、遊技球にかかる摩擦力などの負荷が大きく、よって、打ち込み時の速度が初速より低下してしまうという問題があった。
【特許文献１】特開２００４−１０５６２２号公報  (図１)
【発明の開示】
【発明が解決しようとする課題】
【０００４】
本発明は上記した従来の問題点を解決して、遊技球を低い発射エネルギーのまま遊技領域全体に打ち込むことができる弾球遊技機を提供するためになされたものである。
【課題を解決するための手段】
【０００５】
上記の課題を解決するためになされた本発明の弾球遊技機は、発射された遊技球を遊技盤の遊技領域に外側レールによって案内する弾球遊技機において、クロソイド曲線で形成された外側レールを、遊技領域の一方の側端部から上端部にかけて配設したことを特徴とするものであり、また、クロソイド曲線で形成された部分を有する外側レールを、遊技領域の一方の側端部から上端部にかけて配設したことを特徴とするものである。
【発明の効果】
【０００６】
本発明の弾球遊技機は、遊技盤の遊技領域の一方の側端部から上端部にかけて、クロソイド曲線で形成された外側レールを配設したので、この外側レールによって発射された遊技球の曲がり方の度合いを連続的に変化させて方向変換することができる。そのため、遊技球の失速量が少なくなるので、発射エネルギーを低く抑えたまま、遊技球を遊技領域全体に打ち込むことができる。また、外側レールを、クロソイド曲線で形成された部分を有するものとしても同様の効果を得ることができる。
【発明を実施するための最良の形態】
【０００７】
以下に図面を参照しつつ本発明の好ましい実施形態を説明する。
図１は、本発明の実施形態の弾球遊技機であるパチンコ機の正面図であって、１は遊技機枠であって、この遊技機枠１に遊技盤２が嵌め込まれていて、その盤面は遊技領域３となっている。遊技領域３内には、図示を省略したセンター役物、特定図柄始動手段、大入賞手段などの各種遊技部品が配置されている。また、遊技領域３の最下部にはアウト球の出口４が設けられている。
【０００８】
遊技盤２の下方には打球鎚５を備えた発射装置６と、これにつながる一次レール７とが配設されている。そして、遊技領域３の一部を取り囲んで、内側レール８と外側レール９とが配設されている。内側レール８は遊技領域３の約下半部を取り囲むように配設されていて、主としてアウト球をアウト球の出口４に誘導するためのものである。
【０００９】
そして、内側レール８の外側で、遊技領域３の一方の側端部から上端部にかけては、外側レール９が配設されているが、この外側レール９は、その湾曲形状をクロソイド曲線で形成してあることを特徴とする。
【００１０】
以下に、クロソイド曲線について説明する。
曲線の曲がり方の度合いは、「曲率円」で表される。クロソイド曲線を図２に示すが、
クロソイド曲線の曲率円の半径(ｒ)は、その曲線上の道のり(移動距離)に反比例する。即ち、曲方程式、
ｒ＝ａ２／ｓ（θ）      （ａは定数）
によって定義される曲線を、クロソイド曲線という。この曲線は曲がり方の度合いが急変することなく、連続して大から小へ、あるいは小から大へと変化する曲線であるので、球にブレーキがかかって失速したりすることなく球の進行方向を滑らかに変更することができる。
【００１１】
図１に示したように、以上のような形状の外側レール９を一次レール７につなげて、遊技領域３の一方の側端部から上端部を囲むように配設したので、発射された遊技球にかかる摩擦抵抗を従来より小さいものとすることができる。その結果、飛距離を増大することができるので、遊技球の発射エネルギーが低くても、拡大された遊技領域にも十分追従できるものとすることができる。図１には、従来の円弧状レール１０を併記する。この図においては、円弧状レール１０の内側に、クロソイド曲線とした外側レール９が設けられているが、円弧状レール１０の外側に形成することもできる。
【００１２】
また、外側レール９を、図３に示すように垂直直線部１１と水平直線部１２との間にクロソイド曲線部１３が形成されたものとしてもよい。このように遊技球を方向変換させる要部にクロソイド曲線部１３を形成することによって、外側レール９の設計、製作を容易にすることができる。図３に示したものは、円弧状レール１０の外側にクロソイド曲線部１３が形成されているが、クロソイド曲線部１３においては曲がり方の度合いが連続的に変化されるので、摩擦抵抗が小さい。なお、クロソイド曲線部１３を円弧状レール１０の内側に形成することもできる。さらに、前記直線部１１、１２を放物線など適宜の曲線部としてもよいことはいうまでもない。
【００１３】
以上説明したように、本発明は、遊技球を遊技領域に誘導するための外側レールを、クロソイド曲線をもって形成したので、遊技球の曲がり方の度合いを連続的に変化させることができ、よって遊技球の発射エネルギーのロスを従来より小さいものとすることができる。
したがって、本発明は、遊技盤が拡大された場合にも発射装置を増強することなく低い発射エネルギーのまま、遊技球を盤面全体に打ち込むことができるという大きな利点を有する。
【図面の簡単な説明】
【００１４】
【図１】本発明に係る弾球遊技機の正面図である。
【図２】クロソイド曲線の一例図である。
【図３】本発明の別の実施形態である直線部間にクロソイド曲線部を設けた外側レールの正面図である。
【符号の説明】
【００１５】
１  遊技機枠、２  遊技盤、３  遊技領域、４  アウト球の出口、５  打球鎚、６  発射装置、７  一次レール、８  内側レール、９  外側レール(クロソイド曲線レール)、１０  円弧状レール、１１  垂直直線部、１２  水平直線部、１３  クロソイド曲線部。
【図１】
2006174941.tif 000003
【図２】
2006174941.tif 000004
【図３】
2006174941.tif 000005